(57)【要約】【課題】補助配管押え具の固定つめと台枠穴の勘合部からの外気の進入による結露水の発生を防止すると共に、取外しの容易な室気調和機の補助配管押え具を提供すること。【解決手段】空気調和機の室内機台枠２背面から延出する補助配管を台枠２に固定するための補助配管押え具１であって、補助配管押え具１は補助配管をはさむように延出して台枠２に係止するためのつめ３を有し、つめ３に段差構造６を備えることにより、補助配管押え具１の取付時には勘合部の隙間を完全に塞いで台枠２内部での結露を低減させ、空気調和機内部からの水漏れや水飛びなどの不具合を防ぐことができ、かつ補助配管押え具１の取り外しが容易となり、サービス性向上を図ることができる。【選択図】図３
2006194484.tif 000002
【特許請求の範囲】
【請求項１】
空気調和機の室内機台枠背面から延出する補助配管を前記台枠に固定するための補助配管押え具であって、前記補助配管押え具は前記補助配管をはさむように延出して台枠に係止するためのつめを有し、前記つめに段差構造を備えた空気調和機の補助配管押え具。
【請求項２】
つめに段差構造を備え、更に前記つめに傾斜角を備えた請求項１に記載の空気調和機の補助配管押え具。
【請求項３】
つめに段差構造を備え、更に前記段差構造両端にリブを備えた請求項１または２に記載の空気調和機の補助配管押え具。
【発明の詳細な説明】
【技術分野】
【０００１】
本発明は補助配管を有する室気調和機の補助配管押え具に関するものである。
【背景技術】
【０００２】
従来、この種の室気調和機の補助配管押え具は、補助配管押え具の左右の固定つめにより、台枠の台枠穴に固定されており、取り外す際は固定つめ背後からマイナスドライバーのような治具を差し込み、固定つめを押さえて台枠穴から外して、台枠から取り外している。
【０００３】
また、この取り外しを容易化するため、補助配管押え具ひっかけ部台枠側に傾斜部を設け、また補助配管押え具つめにも傾斜部を設けたものもある（例えば、特許文献１参照）。
【０００４】
図７は、特許文献１に記載された従来の空気調和機の補助配管押え具の上面図を示すものである。また、図８はつめに傾斜部を設けた補助配管押え具の要部平面図を示すものである。図８に示すように、補助配管押え具１は固定つめ３により台枠２の台枠穴４に固定されている。
【特許文献１】特開平１１−１５９７９７号公報
【発明の開示】
【発明が解決しようとする課題】
【０００５】
しかしながら、前記従来の構成では補助配管押え具のつめと台枠穴を固定した際に、つめが台枠穴を覆いきれず、隙間から外気が進入する場合があった。台枠穴の隙間から外気が進入すると、台枠内部には熱交換された冷えた空気が流れているため、台枠表面が冷えており、進入した外気の結露による結露水が発生することがあるという課題を有していた。
【０００６】
本発明は、前記従来の課題を解決するもので、補助配管押え具の固定つめと、台枠穴の勘合部からの外気の進入による結露水の発生を防止すると共に、取外しの容易な室気調和機の補助配管押え具を提供することを目的とする。
【課題を解決するための手段】
【０００７】
前記従来の課題を解決するために、本発明の補助配管押え具はつめ中央部に段差を設けたものである。
【０００８】
これによって、補助配管押え具と台枠穴を固定した際には、勘合部の隙間を完全に塞ぎ、かつ補助配管押え具の取り外しの容易化を図ることができる。
【発明の効果】
【０００９】
本発明の補助配管押え具は、台枠内部での結露を低減させ、空気調和機内部からの水漏れや水飛びなどの不具合を防ぐことができる。更に取り外しが容易となり、サービス性向上を図ることができる。
【発明を実施するための最良の形態】
【００１０】
第１の発明は補助配管押え具のつめに段差構造を備えたことにより、補助配管押え具と台枠穴を固定した際には、勘合部の隙間を塞ぎ、更にマイナスドライバーを台枠と補助配管押え具つめの段差分だけあいた隙間より挿入することができるので、容易に補助配管押
え具を取外すことができる。
【００１１】
第２の発明は、特に、第１の発明の段差構造に傾斜角を設けることで、マイナスドライバーを挿入してつめを押さえる時の力を低減することができ、より容易に補助配管押え具を取り外すことができる。
【００１２】
第３の発明は、特に、第１または第２の発明の段差構造の両端にリブを設けることで、マイナスドライバーを挿入してつめを押さえる時にマイナスドライバーの滑りをふせぐストッパーの役割を果たす為、つめを押さえる時の力を低減することができ、より容易に補助配管押え具を取り外すことができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の台枠と補助配管押え具の展開図、図２は、本発明の第１の実施の形態における補助配管押え具を台枠に取り付けた状態の背面図を示すものである。
【００１５】
図１、図２において、空気調和機の室内機台枠２背面から延出する補助配管（図示せず）を台枠２に固定するために、補助配管押え具１は補助配管をはさむように延出して台枠に係止するためのつめ３を有している。補助配管押え具１は台枠２の背面から取り付けられ、４つのつめで台枠２に固定される。補助配管押え具１のつめの中でも、図中のつめ３は、台枠穴４に勘合し、固定される。
【００１６】
図３は本発明の第１の実施の形態における補助配管押え具の斜視図、図４は図３の補助配管押え具の上面図を示すものである。
【００１７】
図３、図４において、台枠穴４と勘合するつめ３の中央部に段差部６を構成している。この段差部６によって、補助配管押え具１のつめ３は台枠穴４を完全に塞いだ構造となっている。更に、補助配管押え具１を台枠２から取り外す際は、マイナスドライバーを図２の補助配管の段差部６と台枠２との隙間に挿入して、つめ３を押さえることで係合部を台枠穴４から外し、容易に取り外しが可能となる。
【００１８】
以上のように、本実施の形態においては台枠穴と勘合するつめの中央部に段差部を構成することにより、台枠穴をシールする構造を備えつつ補助配管押え具を台枠から取り外すことが容易となり、サービス性を向上できる。
【００１９】
（実施の形態２）
図５は本発明の第２の実施の形態における補助配管押え具の上面図を示すものである。
【００２０】
図５において、補助配管押え具１のつめ３の段差部６に、傾斜角７を設けたことにより、補助配管押え具１のつめ３は台枠穴４を完全に塞いだ構造を保ちつつ、取り外しの際には、マイナスドライバーを挿入してつめ３を押さえるときに、つめ３を台枠穴４からはずす方向に力をかけやすくなるので、取り外しがより容易化する。これにより、よりスムーズに補助配管押え具１を台枠２から取り外すことができ、サービス性の更なる向上が可能となる。
【００２１】
以上のように、本実施の形態においては補助配管押え具のつめの段差部に、傾斜角を設けたことにより、台枠穴をシールする構造を保ちつつ、補助配管押え具を台枠から取り外
すことがより容易となり、サービス性を向上できる。
【００２２】
（実施の形態３）
図６は本発明の第３の実施の形態における補助配管押え具の斜視図を示すものである。
【００２３】
図６において、補助配管押え具１のつめ３の段差部６の両端に、リブ８を設けたことによって、補助配管押え具１のつめ３は台枠穴４を完全に塞いだ構造を保ちつつ、取り外しの際には、マイナスドライバーを挿入してつめ３を押さえるときに、マイナスドライバーの滑りをリブ８によって受け止めることができるため、取り外しがより容易化する。これにより、よりスムーズに補助配管押え具を台枠から取り外すことができ、サービス性の更なる向上が可能となる。
【００２４】
以上のように、本実施の形態においては補助配管押え具のつめの段差部の両端に、リブを設けたことにより、台枠穴をシールする構造を保ちつつ、補助配管押え具を台枠から取り外す際に治具が固定されるので、よりスムーズに補助配管押え具を台枠から取り外すことができ、サービス性の更なる向上が可能となる。
【産業上の利用可能性】
【００２５】
以上のように、本発明にかかる室気調和機の補助配管押え具は、台枠と勘合するつめの部分の取り外しを容易化するものであるため、つめで二部品を勘合しているさまざまな構造に適用できる。
【図面の簡単な説明】
【００２６】
【図１】本発明の実施の形態１における空気調和機の台枠と補助配管押え具の展開図
【図２】本発明の実施の形態１における空気調和機の台枠と補助配管押え具の組立背面図
【図３】本発明の実施の形態１における補助配管押え具の斜視図
【図４】本発明の実施の形態１における補助配管押え具の上面図
【図５】本発明の実施の形態２における補助配管押え具の上面図
【図６】本発明の実施の形態３における補助配管押え具の斜視図
【図７】従来の補助配管押え具の上面図
【図８】従来の補助配管押え具のつめの要部平面図
【符号の説明】
【００２７】
１  補助配管押え具
２  台枠
３  つめ
４  台枠穴
５  傾斜部
６  段差部
７  傾斜角
【図１】
2006194484.tif 000003
【図２】
2006194484.tif 000004
【図３】
2006194484.tif 000005
【図４】
2006194484.tif 000006
【図５】
2006194484.tif 000007
【図６】
2006194484.tif 000008
【図７】
2006194484.tif 000009
【図８】
2006194484.tif 000010